(57)【要約】【課題】  地図情報と動画情報を融合させて提供することが可能な情報提供システムを提供すること。【解決手段】  地図にまたは館内地図に配置された動画を、検索条件で指定することにより抽出し、動画再生できることを特徴とする情報提供システムを設けた。動両は、デジタルマップ上の地図座標に配置された動画位置情報より呼び出されることもできる。また、動画は、ＧＰＳ携帯で撮影され、逐次アップロード可能であり、撮影した位置情報によって地図にマッピングされて表示されてもよい。アップロードされた動画は、地図上にアイコンとなって、コメントと一緒に表示されてもよい。ＧＰＳ携帯でアクセスすると周辺のアップロードされた動画が閲覧可能である。【選択図】図１
2008084282.tif 000002
【特許請求の範囲】
【請求項１】
地図にまたは館内地図に配置された動画を、検索条件で指定することにより抽出し、動画再生できることを特徴とする情報提供システム。
【請求項２】
前記動画は、デジタルマップ上の地図座標に配置された動画位置情報より呼び出されることを特徴とする、請求項１に記載の情報提供システム。
【請求項３】
前記動画は、ＧＰＳ携帯で撮影され、逐次アップロード可能であり、撮影した位置情報によって地図にマッピングされて表示されることを特徴とする、請求項１または２に記載の情報提供システム。
【請求項４】
前記アップロードされた動画は、前記地図上にアイコンとなって、コメントと一緒に表示されることを特徴とする、請求項１〜３のいずれかに記載の情報提供システム。
【請求項５】
前記ＧＰＳ携帯でアクセスすると周辺のアップロードされた動画が閲覧可能であることを特徴とする、請求項１〜４のいずれかに記載の情報提供システム。
【発明の詳細な説明】
【技術分野】
【０００１】  本発明は、情報提供システムに関する。
【背景技術】
【０００２】  近年、ＧＰＳ（Ｇｒｏｂａｌ  Ｐｏｓｉｔｉｏｎｉｎｇ  Ｓｙｓｔｅｍ）技術を利用した地図情報提供サイトなどでは、利用者は携帯電話などを利用して自分の位置を確認したり、行き先を調べたりすることができる。【０００３】  自分の位置する場所が地図上のどこなのか、また目的地までどのくらいなのかを地図情報提供サイトなどを利用することにより、利用者は知ることができる。【０００４】  しかし、自分の目的の場所がどのような場所なのか、コメントなどで間接的に知ることはできても、目的の場所の様子を詳細なイメージを直接に得ることは難しかった。
【発明の開示】
【発明が解決しようとする課題】
【０００５】  そこで、本発明は、このような問題に鑑みてなされたもので、その目的は、地図情報と動画情報を融合させて提供することが可能な、新規かつ改良された情報提供システムを提供することにある。
【課題を解決するための手段】
【０００６】  上記課題を解決するために、本発明のある観点によれば、地図にまたは館内地図に配置された動画を、検索条件で指定することにより抽出し、動画再生できることを特徴とする情報提供システムが提供される。【０００７】  また、上記動画は、デジタルマップ上の地図座標に配置された動画位置情報より呼び出されてもよい。【０００８】  また、上記動画は、ＧＰＳ携帯で撮影され、逐次アップロード可能であり、撮影した位置情報によって上記地図にマッピングされて表示されてもよい。【０００９】  また、上記アップロードされた動画は、地図上にアイコンとなって、コメントと一緒に表示されてもよい。【００１０】  また、上記ＧＰＳ携帯でアクセスすると周辺のアップロードされた動画が閲覧可能であってもよい。
【発明の効果】
【００１１】  本発明によれば、地図情報提供サイトから特定地域を指定すると、その周辺でアップロードされた画像を再生して閲覧することできる。
【発明を実施するための最良の形態】
【００１２】  以下に、添付した図面を参照しながら、本発明の好適な実施の形態について詳細に説明する。【００１３】  本発明の一実施形態の名称を“マービー（ＭＡＶＩＥ（ＭＡｐ＋ｍｏＶＩＥ））”と称する。以下にその機能を示す。【００１４】  本実施形態は、ｆｌａｓｈ  ｌｉｇｈｔ１．１を利用して、デジタルマップ上に世界測地系の座標に基づくオブジェクトを配置し、そのオプジェクトから動画データもしくは館内や地下街等の空間地図データにリンクをさせる。【００１５】  このｆｌａｓｈ  ｌｉｇｈｔ１．１は、携帯電話の３キャリアとＰＣに対応している。よって携帯電話とＰＣで本実施形態の情報提供システムが利用可能である。【００１６】  このデジタルマップは、空間地図データマップ上に入れ子になったマップであり、フロア１、フロア２といった多重構造をもつことができる。本実施形態の“マービー”はデジタルマップ上と同様に、ページ遷移によって移動可能である。【００１７】  そして、空間地図データにも、デジタルマップ上と同様に、動画へのリンクオプジェクトを配置できる。【００１８】  また、動画と空間地図は、ユーザ側が提供することも可能である。つまり、様々なユーザからリアルタイムな情報を提供されることが可能になる。【００１９】  以下に、図１を用いて“マービー”の具体的な動作について説明する。【００２０】  （マップ表示）
まず、“マービー”の起動が行われる。このときブラウザーより、中心位置座標と動画を選定する上でのキーワードを受け取る。【００２１】  次にマップの生成が行われる。“マービー”は、中心位置座標とキーワードをもとにマップ生成プログラム対してマップ生成を要求する。マップ生成プログラムは中心位置座標をｍａｐＡＰＩに渡し必要なマップ画像と座標情報を得る。そしてマップ画像をマップｓｗｆに変換し座標情報をアクションスクリプトとして埋め込む。キーワードと中心位置座標をデータベース（ＤＢ）に渡し、地図に関連するオブジェクト情報を得る。そして上記マップｓｗｆにオブジェクト情報をアクションスクリプトとして埋め込む。さらに“マービー”にデータを戻す。【００２２】  次にマップとオブジェクトの表示が行われる。ここで“マービー”は、マップｓｗｆを受け取り表示する。【００２３】  （マップの移動）
マップの移動において、マップｓｗｆを読み込んだ“マービー”は、所定のキー操作で地図を移動できる機能と、オブジェクトの概要を所定のキー操作で表示する機能とを提供する。【００２４】  （オブジェクトの概要表示）
オブジェクトの概要表示において、“マービー”は、所定のキー操作によりオブジェクトが指定された場合、その所定のオブジェクトに関する画像と文字による情報をマップ生成プログラムに問い合わせ、オブジェクトの概要を表示する吹き出しｓｗｆを受け取り表示する。【００２５】  （マップの移動）
“マービー”は、現在表示している地図の末端までキー操作によって移動した場合、所定のキー操作により次のマップに移動する。この処理は（マップ表示）と同様の処理で行われる。その他空間マップの移動は、世界測地系と、異なる座標判定にて行われてもよい。【００２６】  このように、携帯、ＰＣから位置検索によって、その周辺でアップロードされた動画を閲覧することができる。【００２７】  たとえば、北海道から東京の新宿２丁目を検索すると、新宿２丁目近辺でアップロードされた動画を閲覧することができる。【００２８】  さらに、施設案内図がアップロードでき、その中にお店や施設などの動画がアップロードすることができる。【００２９】  施設側、たとえばショッピングセンターなどが、ＰＣからサイトの地図に施設案内（鳥瞰図）などを位置情報付きでアップロードする。（これで、地図内にその施設の案内図が埋め込まれる。その埋め込まれた案内図の施設やお店が、ＧＰＳ携帯を使って動画によるインフォメーションをアップロードして、広報、広告媒体としても利用できる。バーゲン情報や目玉商品案内、レストランなら日替わりランチの内容を紹介するなど、使い方は多様である。また、アップロード画面、アクセス画面において、その位置情報に応じた近隣のエリア広告が表示できる。【００３０】  また、デジタルマップ上に、建物館内のマップを追加することができ、マップはＡＰＩからもユーザ側からのどちらからでも提供可能である。そして館内のマップは、ユーザ側からも修正可能である。
【産業上の利用可能性】
【００３１】  本発明は、地図を利用した情報提供システムに適用可能である。
【図面の簡単な説明】
【００３２】
【図１】本発明の一実施形態にかかる情報提供システムを示すフローチャートである。
【図１】
2008084282.tif 000003